(57)【要約】【課題】アームに対する器具本体の固定角度を調整する作業の容易化を図る。【解決手段】アーム４の腕41は、回転軸となるボルト５によって器具本体１に締結される軸受け部410を有する。器具本体１は、軸受け部410と対向する面に設けられる凹所3050と、一部が前記面よりも外側に突出するように凹所3050内に収納される弾性部材306とを備える。軸受け部410は、凹所3050から突出する弾性部材306の一部と接し、且つボルト５が締め付けられることで弾性部材306を凹所3050内へ押し込むように構成される。故に、軸受け部410と弾性部材306との間に生じる摩擦力が締結部材(ボルト５)の締め付け度合によって増減され、手で支えずとも前記摩擦力で器具本体１の回転を規制することができる。そのため、従来例と比較して、アーム４に対する器具本体１の固定角度(照射角)を調整する作業の容易化を図ることができる。【選択図】        図１
2015088432.tif 000002
【特許請求の範囲】
【請求項１】
光源を保持する器具本体と、前記器具本体を回転可能に支持するアームとを備え、前記アームは、他の構造物に固定される固定部と、前記固定部から離れる向きに突出する１乃至複数の腕とを有し、前記腕は、回転軸となる締結部材によって前記器具本体に締結される軸受け部を有し、前記器具本体は、前記軸受け部と対向する面に設けられる凹所と、一部が前記面よりも外側に突出するように前記凹所内に収納される弾性部材とを備え、前記軸受け部は、前記凹所から突出する前記弾性部材の一部と接し、且つ前記締結部材が締め付けられることで前記弾性部材を前記凹所内へ押し込むように構成されることを特徴とする照明器具。
【請求項２】
前記軸受け部を挟んで前記凹所が設けられる前記面と対向する位置に配置され、前記軸受け部が前記面から離れる向きに移動する範囲を規制する規制部を備えることを特徴とする請求項１記載の照明器具。
【発明の詳細な説明】
【技術分野】
【０００１】
本発明は、照明器具に関する。
【背景技術】
【０００２】
従来例として特許文献１記載の照明器具を例示する。この従来例は、建物の壁面や看板等を照明するための照明器具であって、光源を搭載した器具本体と、器具本体を回転自在に支持するアームとを備える。すなわち、特許文献１記載の従来例は、コンクリート製の土台などに固定されるアームに対して、器具本体を回転させることによって照射角度を調整できるように構成されている。
【０００３】
さらに詳しく説明すると、上記従来例は、器具本体、角度調整部材、アーム、固定部材を具備している。器具本体は、光源が内部に配設され、外部にアーム軸支部を有する。角度調整部材は、器具本体に設けられ、アーム軸支部を中心とした円の軌跡上に位置し、所定の間隔を有して形成された複数の係合孔を有する。アームは、器具本体のアーム軸支部に軸支され、角度調整部材の複数の係合孔に対向して形成された長孔を有する。固定部材は、アームの長孔と角度調整部材の係合孔を係合させる。
【０００４】
而して、上記従来例では、固定ボルトを何れかの係合孔にねじ込むことによって、アームに対する器具本体の固定角度、すなわち、器具本体の照射角度を調整することができる。
【先行技術文献】
【特許文献】
【０００５】
【特許文献１】特開２０１３−９７９８６号公報
【発明の概要】
【発明が解決しようとする課題】
【０００６】
ところで、上記従来例では、作業者が器具本体の照射角度を調整する際、器具本体を所望の固定角度に保持した状態で固定ボルトを係合孔にねじ込む必要がある。しかしながら、器具本体が重量物であり、且つアーム軸支部の摩擦力が小さいために器具本体が回転し易いので、上述のような調整作業を行うことが非常に困難であった。
【０００７】
本発明は、上記課題に鑑みて為されたものであり、アームに対する器具本体の固定角度を調整する作業の容易化を図ることを目的とする。
【課題を解決するための手段】
【０００８】
本発明の照明器具は、光源を保持する器具本体と、前記器具本体を回転可能に支持するアームとを備え、前記アームは、他の構造物に固定される固定部と、前記固定部から離れる向きに突出する１乃至複数の腕とを有し、前記腕は、回転軸となる締結部材によって前記器具本体に締結される軸受け部を有し、前記器具本体は、前記軸受け部と対向する面に設けられる凹所と、一部が前記面よりも外側に突出するように前記凹所内に収納される弾性部材とを備え、前記軸受け部は、前記凹所から突出する前記弾性部材の一部と接し、且つ前記締結部材が締め付けられることで前記弾性部材を前記凹所内へ押し込むように構成されることを特徴とする。
【０００９】
この照明器具において、前記軸受け部を挟んで前記凹所が設けられる前記面と対向する位置に配置され、前記軸受け部が前記面から離れる向きに移動する範囲を規制する規制部を備えることが好ましい。
【発明の効果】
【００１０】
本発明の照明器具は、軸受け部と弾性部材との間に生じる摩擦力が締結部材の締め付け度合によって増減され、手で支えずとも前記摩擦力で器具本体の回転を規制することができるので、アームに対する器具本体の固定角度を調整する作業の容易化を図ることができるという効果がある。
【図面の簡単な説明】
【００１１】
【図１】本発明に係る照明器具の実施形態を示し、後方から見た斜視図である。
【図２】同上の一部省略した半断面図である。
【図３】同上の下面図である。
【図４】同上における光源モジュールの正面図である。
【図５】同上における光源モジュールの一部省略した断面図である。
【図６】本発明に係る照明器具の他の実施形態を示す側面図である。
【図７】同上の要部の断面図である。
【発明を実施するための形態】
【００１２】
以下、本発明に係る照明器具の実施形態について、図面を参照して詳細に説明する。本実施形態の照明器具は、建物の壁面や看板等を照明する用途に用いられるもの(スポットライト)である。ただし、照射方向の調節機能を有する照明器具であれば、スポットライト以外の照明器具に本発明の技術思想を適用することも可能である。
【００１３】
本実施形態の照明器具は、図１〜図３に示すように器具本体１とアーム４とを備える。また、器具本体１は、光源モジュール２と電源ボックス３で構成される。なお、以下の説明では、特に断りの無い限り、図１において上下左右前後の各方向を規定する。
【００１４】
光源モジュール２は、図４及び図５に示すように光源部20、本体21、カバー22などを備える。光源部20は、矩形板状の支持部材201と、支持部材201の前面(図５における右側面。以下、同じ。)に実装される複数個の固体発光素子(発光ダイオード＜ＬＥＤ200＞)と、レンズブロック202とを有する。ＬＥＤ200は、支持部材201の前面にほぼ等間隔に並ぶように実装されている。また、図示は省略しているが、支持部材201の前面には、各ＬＥＤ200を電気的に接続するための導電体(銅箔)が印刷形成されている。ただし、固体発光素子はＬＥＤに限定されず、例えば、有機エレクトロルミネセンス素子などでも構わない。
【００１５】
レンズブロック202は、ＬＥＤ200が放射する光の配光を制御する多数のレンズ2020と、支持部材201の前面を覆う矩形板状の基板2021とが、アクリル樹脂やポリカーボネート樹脂などの透光性を有する材料で一体に形成されて構成される。ただし、レンズブロック202を形成する材料は透光性を有する合成樹脂材料に限定されず、石英ガラスなどであっても構わない。
【００１６】
光源部20は、後述するように本体21の凹部210の底面に対して、支持部材201とレンズブロック202を厚み方向に重ねるようにしてねじ止めされる(図５参照)。
【００１７】
本体21は、アルミダイカストにより、４つの辺を有する板状に形成され、前面のほぼ中央に凹部210が設けられている。そして、凹部210の底面(後面)に光源部20がねじ止めによって取り付けられる。また、本体21は、４つの辺のうちの下辺から板状の連結部211が下向きに突出している。さらに、本体21は、残り２つの辺(左辺及び右辺)に略三角柱状の側壁212がそれぞれ設けられている。なお、本体21の上面には、複数(図示例では９つ)の放熱フィン213が左右方向に等間隔に並べて形成されている(図１参照)。すなわち、光源部20のＬＥＤ200が発する熱を本体21に伝導して放熱するに当たり、複数の放熱フィン213を設けることで放熱性の向上を図っている。側壁212は、三角柱状に形成され、上端と下端がそれぞれ斜めに傾斜している。なお、側壁212の上端は閉塞されている。
【００１８】
連結部211は、図５に示すように厚み寸法(前後方向の厚み寸法)が本体21の他の部分よりも小さく、且つ放熱フィン213を除いた本体21の後面(図５における左側面。以下、同じ。)とほぼ面一となるように下方へ突出している。また、連結部211は、左右方向の両端近くに、後面が開口した有底円筒形の凹所2110がそれぞれ設けられている。そして、凹所2110の底面には、円形の挿通孔2111が前後方向に貫通している。
【００１９】
カバー22は、透光板220と、枠体221と、防水パッキン222とを有する。透光板220は、透光性を有する材料(アクリル樹脂等の合成樹脂材料や石英ガラスなど)で矩形平板状に形成される。枠体221は、アルミダイカストによって矩形の枠状に形成されている。また、枠体221は、四隅及び長辺の中央にそれぞれ挿通孔2210が貫通している。防水パッキン222は、例えば合成ゴムによって矩形の枠状に形成され、内周面に設けられる溝2220に透光板220の周縁部分が嵌め込まれることで透光板220に装着される(図５参照)。
【００２０】
そして、カバー22は、本体21の前面に被せられ、枠体221に設けられている合計６つの挿通孔2210に挿通されるボルト223が、本体21に設けられている雌ねじ部214にねじ込まれることで本体21に取り付けられる。カバー22が本体21に取り付けられることにより、本体21の凹部210が透光板220と防水パッキン222とで密閉される。そして、光源部20が発する光は、透光板220を通して本体21の外(前方)に放射される。
【００２１】
電源ボックス３は、図１及び図２に示すようにアルミダイカスト製のボックス本体30と蓋31とで構成される。ボックス本体30は、光源モジュール２の下端部と嵌合する嵌合部300と、光源モジュール２の後面に被さる上箱部301と、上箱部301及び嵌合部300の下に配置される下箱部302とが一体に形成されている。上箱部301及び下箱部302は後面が開放され、且つ内部空間が繋がっている。
【００２２】
嵌合部300は、その内部に一対の雌ねじ(図示せず)が設けられており、光源モジュール２の連結部211に設けられた挿通孔2111に挿通されるねじ(図示せず)が前記雌ねじにねじ込まれることで連結部211と結合される。また、上箱部301は、光源モジュール２の本体21の後面にねじ止めされる。
【００２３】
また、下箱部302は、下面にケーブルグランド304が取り付けられ、ケーブルグランド304を介して電源ケーブル(図示せず)が内部に導入される。なお、下箱部302の下面には、電源ボックス３の内外の気圧を平衡させるための通気孔(図示せず)が貫通している。ただし、この通気孔は、ホルダ303内に収納された活性炭フィルタ(図示せず)によって異物の混入が防止されている。
【００２４】
蓋31は、上箱部301及び下箱部302の後面を塞ぐようにしてボックス本体30にねじ止めされる。ただし、ボックス本体30と蓋31との隙間は防水パッキン(図示せず)で閉塞されることが好ましい。
【００２５】
ボックス本体30内には、ケーブルグランド304より導入される電源ケーブルが接続される端子台(図示せず)や、光源モジュール２の光源部20に電力を供給してＬＥＤ200を発光(点灯)させる電源装置(図示せず)などが収納される。すなわち、電源ケーブルを通して供給される交流電力が電源装置によって直流電力に変換され、当該直流電力が電線(図示せず)を通して光源モジュール２に供給される。ただし、このような電源装置は従来周知であるから、詳細な回路構成等についての図示及び説明は省略する。
【００２６】
また、下箱部302の左右両側の壁壁には、円筒形の突台305がそれぞれ軸方向を左右方向に一致させるように一体に形成されている(図１及び図２参照)。各突台305は、一部が下箱部302の外側に突出し、且つその他の大部分が下箱部302の内側に突出している。また、各突台305は、下箱部302の外側に突出している部分の端面(側面)に、円筒形の凹所3050が設けられている。さらに、凹所3050の底面(図２における左側面)には、雌ねじ3051が設けられている。なお、各凹所3050には、円環状の弾性部材306が収納される。
【００２７】
弾性部材306は、例えば合成ゴム製であって、軸方向(図２における左右方向)の幅が凹所3050の深さよりも僅かに大きくなるように形成されている。そのため、弾性部材306は、凹所3050に収納された状態において一部が凹所3050の外に突出することになる(図２参照)。ただし、弾性部材306は、合成ゴム製のものに限定されず、例えば、金属製のコイルばねや板ばねであっても構わない。
【００２８】
アーム４は、金属板が曲げ加工されることにより、固定部40と一対の腕41とが一体に形成されている。固定部40は、図３に示すように全体として長尺な長方形状であり、且つ中央部分が後方(図３における下方)に向かって突出する半円形に形成されている。そして、この中央部分には、円形の固定孔400が貫通し、且つ固定孔400よりも後方に、固定孔400を中心とする半円弧状の長孔401が貫通している。そして、固定孔400に挿通されるボルト(図示せず)と、長孔401に挿通されるボルト(図示せず)とで固定部40が構造物(例えば、コンクリート製の基礎など)に固定される。また、長孔401に挿通されるボルトを緩めることにより、アーム４の向きを略１８０度の範囲で変更することができる。
【００２９】
各腕41は、固定部40の長手方向(左右方向)の両端から上向きに立ち上がるように形成されている。また、各腕41の先端部分(上端部分)は、円形の挿通孔411が貫通し、軸受け部410とされる。
【００３０】
アーム４は、図１及び図２に示すように、各腕41の軸受け部410の挿通孔411に挿通されるボルト(締結部材)５が、弾性部材306の中心孔3060に挿通された後に突台305の雌ねじ3051にねじ込まれることで器具本体１に取り付けられる。
【００３１】
ここで、軸受け部410は、凹所3050の外に突出している弾性部材306と当たっており、弾性部材306との間に摩擦力が生じている。そして、この摩擦力は、ボルト５が雌ねじ3051に締め込まれて軸受け部410が弾性部材306を押す力が増すほど大きくなる。つまり、ボルト５が締め込まれているときの摩擦力(静止摩擦力)が、器具本体１をボルト５の周りに回転させようとする力(重力の回転方向の成分。以下、回転力と呼ぶ。)よりも大きければ、アーム４に対して器具本体１が固定(回り止め)される。
【００３２】
故に、作業者は、照射角を調整する場合、ボルト５を僅かに緩めた状態で器具本体１を手で押せば、器具本体１を回転させることができる。そして、ボルト５を緩めた状態の摩擦力が回転力を下回らなければ、手で支えずとも器具本体１が不用意に回転することはない。
【００３３】
本実施形態の照明器具は、光源(光源モジュール２)を保持する器具本体１と、器具本体１を回転可能に支持するアーム４とを備える。アーム４は、他の構造物に固定される固定部40と、固定部40から離れる向きに突出する１乃至複数の腕41とを有する。腕41は、回転軸となる締結部材(ボルト５)によって器具本体１に締結される軸受け部410を有する。器具本体１は、軸受け部410と対向する面に設けられる凹所3050と、一部が前記面よりも外側に突出するように凹所3050内に収納される弾性部材306とを備える。軸受け部410は、凹所3050から突出する弾性部材306の一部と接し、且つ締結部材(ボルト５)が締め付けられることで弾性部材306を凹所3050内へ押し込むように構成される。
【００３４】
本実施形態の照明器具では、軸受け部410と弾性部材306との間に生じる摩擦力が締結部材(ボルト５)の締め付け度合によって増減され、手で支えずとも前記摩擦力で器具本体１の回転を規制することができる。そのため、本実施形態の照明器具は、従来例と比較して、アーム４に対する器具本体１の固定角度(照射角)を調整する作業の容易化を図ることができる。
【００３５】
ところで、作業者が誤ってボルト５を緩めすぎてしまうと、前記摩擦力が前記回転力よりも小さくなって器具本体１が不用意に回転してしまう可能性がある。したがって、ボルト５が緩められても軸受け部410と弾性部材306との間に生じる摩擦力が前記回転力を下回らないようにすることが望ましい。
【００３６】
そこで、図６及び図７に示すように、電源ボックス３の左右両側の側壁に規制部307が設けられることが好ましい。規制部307は、軸受け部410を挟んで突台305の端面と対向する位置に配置され、軸受け部410が突台305の端面から離れる向きに移動する範囲を規制するように構成される(図７参照)。つまり、ボルト５の軸方向(左右方向)における規制部307と突台305の端面との距離が、軸受け部410の板厚と、前記摩擦力が前記回転力よりも小さくならないときの弾性部材306の突出量(突台305の端面から弾性部材306の先端までの寸法)との合計値以下であればよい。
【００３７】
本実施形態の照明器具は、軸受け部410を挟んで凹所3050が設けられる面(突台305の端面)と対向する位置に配置され、軸受け部410が前記面から離れる向きに移動する範囲を規制する規制部307を備える。
【００３８】
上記構成によれば、ボルト５が緩められても軸受け部410と弾性部材306との間に生じる摩擦力が前記回転力を下回らないので、器具本体１が不用意に回転してしまうことが防止される。その結果、アーム４に対する器具本体１の固定角度(照射角)を調整する作業がさらに容易化できる。
【符号の説明】
【００３９】
１  器具本体
２  光源モジュール(光源)
４  アーム
５  ボルト(締結部材)
305  突台
306  弾性部材
3050  凹所
3051  雌ねじ
【図１】
2015088432.tif 000003
【図２】
2015088432.tif 000004
【図３】
2015088432.tif 000005
【図４】
2015088432.tif 000006
【図５】
2015088432.tif 000007
【図６】
2015088432.tif 000008
【図７】
2015088432.tif 000009